(57)【要約】【課題】  特定の条件を満たす競売品を予算内で落札できれば他の条件は問わない買い手が、容易に上記特定の条件を満たす競売品を予算内で落札できるようにする。【解決手段】  競売品登録端末２が、ユーザの指示に従って、競売対象にする競売品の特徴を示す属性値および競売期間を含む競売品情報を競売サーバ１へ送信し、参加者端末３が、ユーザの指示に従って落札希望対象にする競売品の属性値が満たすべき条件及び落札希望価格を含む付値情報を競売サーバ１へ送信する。競売サーバ１は、送られてきた競売品情報，付値情報を管理し、競売期間が終了した競売品情報中の属性値と、管理している付値情報中の落札希望対象指定条件及び落札希望価格とに基づいて、管理している付値情報の中から、競売品情報によって示される競売品を落札希望対象にしている、落札希望価格が最高額の付値情報を検索し、検索した付値情報の登録者を落札者と決定する。【選択図】      図１
2007025931.tif 000002
【特許請求の範囲】
【請求項１】
競売サーバと、競売品登録端末と、参加者端末とを含む競売システムにおいて、
前記競売品登録端末が、競売対象にする競売品の特徴を示す属性値および競売期間を含む競売品情報を前記競売サーバへ送信する構成を有し、
前記参加者端末が、落札希望対象にする競売品の属性値が満たすべき条件である落札希望対象指定条件および落札希望価格を含む付値情報を前記競売サーバへ送信する構成を有し、
前記競売サーバが、
競売品情報記憶部と、
付値情報記憶部と、
前記競売品登録端末から送られてきた競売品情報を前記競売品情報記憶部に登録する競売品登録手段と、
前記参加者端末から送られてきた付値情報を前記付値情報記憶部に登録する参加登録手段と、
前記競売品情報記憶部に登録されている競売品情報の内の、競売期間が終了した競売品情報に含まれている属性値と、前記付値情報記憶部に登録されている付値情報に含まれている落札希望対象指定条件および落札希望価格とに基づいて、前記付値情報記憶部に登録されている付値情報の中から、前記競売品情報によって示される競売品を落札希望対象にしている、落札希望価格が最高額の付値情報を検索する落札処理手段とを備えたことを特徴とする競売システム。
【請求項２】
請求項１記載の競売システムにおいて、
前記競売品情報が、競売対象にする競売品の特徴を示す属性値および競売期間に加えて競売品情報登録者への連絡先を含み、
前記付値情報が、落札希望対象にする競売品の属性値が満たすべき条件である落札希望対象指定条件および落札希望価格に加えて付値情報登録者への連絡先を含み、
前記落札処理手段が、前記検索した付値情報中の連絡先に対して前記競売期間が終了した競売品情報中の連絡先を含んだ買い手宛落札結果通知を送信し、前記競売期間が終了した競売品情報中の連絡先に対して前記検索した付値情報中の連絡先を含んだ売り手宛落札結果通知を送信する構成を有することを特徴とする競売システム。
【請求項３】
請求項２記載の競売システムにおいて、
所定のタイミングで、前記競売品情報記憶部から競売期間が終了した競売品情報を抽出し、該抽出した競売品情報を競売終了日時が早い順にソートし、更に、競売終了日時が同一の競売品情報については登録日時が早い順にソートする落札順決定処理手段を備え、且つ、
前記競売品登録手段が、競売品情報を前記競売品情報記憶部に登録する際、登録日時も併せて登録する構成を有し、
前記落札処理手段が、競売期間が終了した競売品情報を、前記落札順決定処理手段でソートされた順番で処理する構成を有することを特徴とする競売システム。
【請求項４】
請求項２記載の競売システムにおいて、
前記競売品情報が、競売対象にする競売品の特徴を示す属性値、競売期間および競売品情報登録者への連絡先に加えて前記競売対象にする競売品の数量を含み、
前記落札処理手段が、競売期間が終了した競売品情報に含まれている競売品の数量が「０」となるか、前記競売品情報によって示される競売品を落札希望対象にしている付値情報が無くなるまで、前記付値情報記憶部から前記競売品情報によって示される競売品を落札希望対象にしている付値情報を検索する毎に、前記競売品情報に含まれている数量をデクリメントする構成を有することを特徴とする競売システム。
【請求項５】
請求項２記載の競売システムにおいて、
前記競売品情報が、競売対象にする競売品の特徴を示す属性値、競売期間および競売品情報登録者への連絡先に加えて前記競売対象にする競売品の数量を含み、
前記付値情報が、落札希望対象にする競売品の属性値が満たすべき条件である落札希望対象指定条件、落札希望価格および付値情報登録者への連絡先に加えて落札希望数量を含み、
前記落札処理手段が、競売期間が終了した競売品情報に含まれている競売品の数量が前記付値情報記憶部から検索した付値情報中の落札希望数量以下となるか、前記競売品情報によって示される競売品を落札希望対象にしている付値情報が無くなるまで、前記付値情報記憶部から前記競売品情報によって示される競売品を落札希望対象にしている付値情報を検索する毎に、前記競売品情報に含まれている競売品の数量を、前記検索した付値情報に含まれている落札希望数量だけ減じる構成を有することを特徴とする競売システム。
【請求項６】
競売品情報記憶部と、
付値情報記憶部と、
競売品登録端末から送られてきた、競売対象にする競売品の特徴を示す属性値および競売期間を含む競売品情報を前記競売品情報記憶部に登録する競売品登録手段と、
参加者端末から送られてきた、落札希望対象にする競売品の属性値が満たすべき条件である落札希望対象指定条件および落札希望価格を含む付値情報を前記付値情報記憶部に登録する参加登録手段と、
前記競売品情報記憶部に登録されている競売品情報の内の、競売期間が終了した競売品情報に含まれている属性値と、前記付値情報記憶部に登録されている付値情報に含まれている落札希望対象指定条件および落札希望価格とに基づいて、前記付値情報記憶部に登録されている付値情報の中から、前記競売品情報によって示される競売品を落札希望対象にしている、落札希望価格が最高額の付値情報を検索する落札処理手段とを備えたことを特徴とする競売サーバ。
【請求項７】
請求項６記載の競売サーバにおいて、
前記競売品情報が、競売対象にする競売品の特徴を示す属性値および競売期間に加えて競売品情報登録者への連絡先を含み、
前記付値情報が、落札希望対象にする競売品の属性値が満たすべき条件である落札希望対象指定条件および落札希望価格に加えて付値情報登録者への連絡先を含み、
前記落札処理手段が、前記検索した付値情報中の連絡先に対して前記競売期間が終了した競売品情報中の連絡先を含んだ買い手宛落札結果通知を送信し、前記競売期間が終了した競売品情報中の連絡先に対して前記検索した付値情報中の連絡先を含んだ売り手宛落札結果通知を送信する構成を有することを特徴とする競売サーバ。
【請求項８】
請求項７記載の競売サーバにおいて、
所定のタイミングで、前記競売品情報記憶部から競売期間が終了した競売品情報を抽出し、該抽出した競売品情報を競売終了日時が早い順にソートし、更に、競売終了日時が同一の競売品情報については登録日時が早い順にソートする落札順決定処理手段を備え、且つ、
前記競売品登録手段が、競売品情報を前記競売品情報記憶部に登録する際、登録日時も併せて登録する構成を有し、
前記落札処理手段が、競売期間が終了した競売品情報を、前記落札順決定処理手段でソートされた順番で処理する構成を有することを特徴とする競売サーバ。
【請求項９】
請求項７記載の競売サーバにおいて、
前記競売品情報が、競売対象にする競売品の特徴を示す属性値、競売期間および競売品情報登録者への連絡先に加えて前記競売対象にする競売品の数量を含み、
前記落札処理手段が、競売期間が終了した競売品情報に含まれている競売品の数量が「０」となるか、前記競売品情報によって示される競売品を落札希望対象にしている付値情報が無くなるまで、前記付値情報記憶部から前記競売品情報によって示される競売品を落札希望対象にしている付値情報を検索する毎に、前記競売品情報に含まれている数量をデクリメントする構成を有することを特徴とする競売サーバ。
【請求項１０】
請求項７記載の競売サーバにおいて、
前記競売品情報が、競売対象にする競売品の特徴を示す属性値、競売期間および競売品情報登録者への連絡先に加えて前記競売対象にする競売品の数量を含み、
前記付値情報が、落札希望対象にする競売品の属性値が満たすべき条件である落札希望対象指定条件、落札希望価格および付値情報登録者への連絡先に加えて落札希望数量を含み、
前記落札処理手段が、競売期間が終了した競売品情報に含まれている競売品の数量が前記付値情報記憶部から検索した付値情報中の落札希望数量以下となるか、前記競売品情報によって示される競売品を落札希望対象にしている付値情報が無くなるまで、前記付値情報記憶部から前記競売品情報によって示される競売品を落札希望対象にしている付値情報を検索する毎に、前記競売品情報に含まれている競売品の数量を、前記検索した付値情報に含まれている落札希望数量だけ減じる構成を有することを特徴とする競売サーバ。
【請求項１１】
競売対象にする競売品の特徴を示す属性値および競売期間を含む競売品情報を競売サーバへ送信する構成を有することを特徴とする競売品登録端末。
【請求項１２】
落札希望対象にする競売品の属性値が満たすべき条件である落札希望対象指定条件および落札希望価格を含む付値情報を競売サーバへ送信する構成を有することを特徴とする参加者端末。
【請求項１３】
競売品登録端末が、競売対象にする競売品の特徴を示す属性値および競売期間を含む競売品情報を競売サーバへ送信し、
参加者端末が、落札希望対象にする競売品の属性値が満たすべき条件である落札希望対象指定条件および落札希望価格を含む付値情報を前記競売サーバへ送信し、
前記競売サーバが、
前記競売品登録端末から送られてきた競売品情報を競売品情報記憶部に登録する競売品登録ステップと、
前記参加者端末から送られてきた付値情報を付値情報記憶部に登録する参加登録ステップと、
前記競売品情報記憶部に登録されている競売品情報の内の、競売期間が終了した競売品情報に含まれている属性値と、前記付値情報記憶部に登録されている付値情報に含まれている落札希望対象指定条件および落札希望価格とに基づいて、前記付値情報記憶部に登録されている付値情報の中から、前記競売品情報によって示される競売品を落札希望対象にしている、落札希望価格が最高額の付値情報を検索する落札処理ステップとを実行することを特徴とする競売方法。
【請求項１４】
競売品情報記憶部と、付値情報記憶部とを備えたコンピュータを、
競売品登録端末から送られてきた、競売対象にする競売品の特徴を示す属性値および競売期間を含む競売品情報を前記競売品情報記憶部に登録する競売品登録手段、
参加者端末から送られてきた、落札希望対象にする競売品の属性値が満たすべき条件である落札希望対象指定条件および落札希望価格を含む付値情報を前記付値情報記憶部に登録する参加登録手段、
前記競売品情報記憶部に登録されている競売品情報の内の、競売期間が終了した競売品情報に含まれている属性値と、前記付値情報記憶部に登録されている付値情報に含まれている落札希望対象指定条件および落札希望価格とに基づいて、前記付値情報記憶部に登録されている付値情報の中から、前記競売品情報によって示される競売品を落札希望対象にしている、落札希望価格が最高額の付値情報を検索する落札処理手段として機能させるためのプログラム。
【請求項１５】
請求項１４記載のプログラムにおいて、
前記競売品情報が、競売対象にする競売品の特徴を示す属性値および競売期間に加えて競売品情報登録者への連絡先を含み、
前記付値情報が、落札希望対象にする競売品の属性値が満たすべき条件である落札希望対象指定条件および落札希望価格に加えて付値情報登録者への連絡先を含み、
前記落札処理手段が、前記検索した付値情報中の連絡先に対して前記競売期間が終了した競売品情報中の連絡先を含んだ買い手宛落札結果通知を送信し、前記競売期間が終了した競売品情報中の連絡先に対して前記検索した付値情報中の連絡先を含んだ売り手宛落札結果通知を送信する構成を有することを特徴とするプログラム。
【請求項１６】
請求項１５記載のプログラムにおいて、
所定のタイミングで、前記競売品情報記憶部から競売期間が終了した競売品情報を抽出し、該抽出した競売品情報を競売終了日時が早い順にソートし、更に、競売終了日時が同一の競売品情報については登録日時が早い順にソートする落札順決定処理手段を備え、且つ、
前記競売品登録手段が、競売品情報を前記競売品情報記憶部に登録する際、登録日時も併せて登録する構成を有し、
前記落札処理手段が、競売期間が終了した競売品情報を、前記落札順決定処理手段でソートされた順番で処理する構成を有することを特徴とするプログラム。
【請求項１７】
請求項１５記載のプログラムにおいて、
前記競売品情報が、競売対象にする競売品の特徴を示す属性値、競売期間および競売品情報登録者への連絡先に加えて前記競売対象にする競売品の数量を含み、
前記落札処理手段が、競売期間が終了した競売品情報に含まれている競売品の数量が「０」となるか、前記競売品情報によって示される競売品を落札希望対象にしている付値情報が無くなるまで、前記付値情報記憶部から前記競売品情報によって示される競売品を落札希望対象にしている付値情報を検索する毎に、前記競売品情報に含まれている数量をデクリメントする構成を有することを特徴とするプログラム。
【請求項１８】
請求項１５記載のプログラムにおいて、
前記競売品情報が、競売対象にする競売品の特徴を示す属性値、競売期間および競売品情報登録者への連絡先に加えて前記競売対象にする競売品の数量を含み、
前記付値情報が、落札希望対象にする競売品の属性値が満たすべき条件である落札希望対象指定条件、落札希望価格および付値情報登録者への連絡先に加えて落札希望数量を含み、
前記落札処理手段が、競売期間が終了した競売品情報に含まれている競売品の数量が前記付値情報記憶部から検索した付値情報中の落札希望数量以下となるか、前記競売品情報によって示される競売品を落札希望対象にしている付値情報が無くなるまで、前記付値情報記憶部から前記競売品情報によって示される競売品を落札希望対象にしている付値情報を検索する毎に、前記競売品情報に含まれている競売品の数量を、前記検索した付値情報に含まれている落札希望数量だけ減じる構成を有することを特徴とするプログラム。
【発明の詳細な説明】
【技術分野】
【０００１】
本発明は、ネットワークを利用した競売技術に関し、特に、買い手が、落札したい競売品が満たすべき条件を指定することにより、上記条件を満たす不特定の競売品に対する競売に参加することができる競売技術に関する。
【背景技術】
【０００２】
インターネットを利用した競売システムは、既に多くのサイトによって提供されている。従来の一般的な競売システムは、売り手が、競売品の商品情報や落札最低価格などを含む競売品情報を競売サーバに登録し、買い手が、登録されている競売品の中から落札したい競売品を選択してその識別情報や落札希望価格などを含む付値情報を競売サーバへ送信し、競売サーバが、登録された各競売品毎に、買い手からの落札希望価格などを含む付値情報を受け付け、その中で一番落札希望価格が高い買い手に競売品を落札するようにしている。即ち、従来の一般的な競売システムは、個別の競売品毎に競売を実施している。
【０００３】
また、食器セットや、シリーズになっている書籍など、複数の商品から構成されるグループ商品の競売を実施する場合、買い手が、グループ商品を構成する複数の商品の内の、単品または任意の組み合わせを指定して値付けを行えるようにした競売システムも従来から提案されている（例えば、特許文献１参照）。
【特許文献１】特開２００１−３１２６２２号公報
【発明の開示】
【発明が解決しようとする課題】
【０００４】
ところで、競売に参加する加入者の中には、特定の条件を満たす競売品を予算内で落札できれば他の条件は問わないという買い手も存在する。しかし、このような買い手であっても、従来の競売システムを利用して競売に参加する場合には、競売サーバに登録されている多数の競売品（グループ商品を含む）の中から、落札したい競売品を探し出してその競売品に対する競売に参加する必要があり、更に、落札できなかった場合には、競り落とせるまで、上記した作業を繰り返す必要があるため、買い手にかかる負担が大きくなるという問題がある。
【０００５】
そこで、本発明の目的は、特定の条件を満たす競売品を予算内で落札できれば他の条件は問わない買い手が、容易に条件に合う競売品を予算内で落札できるようにすることにある。
【課題を解決するための手段】
【０００６】
本発明にかかる第１の競売システムは、
競売サーバと、競売品登録端末と、参加者端末とを含む競売システムにおいて、
前記競売品登録端末が、競売対象にする競売品の特徴を示す属性値および競売期間を含む競売品情報を前記競売サーバへ送信する構成を有し、
前記参加者端末が、落札希望対象にする競売品の属性値が満たすべき条件である落札希望対象指定条件および落札希望価格を含む付値情報を前記競売サーバへ送信する構成を有し、
前記競売サーバが、
競売品情報記憶部と、
付値情報記憶部と、
前記競売品登録端末から送られてきた競売品情報を前記競売品情報記憶部に登録する競売品登録手段と、
前記参加者端末から送られてきた付値情報を前記付値情報記憶部に登録する参加登録手段と、
前記競売品情報記憶部に登録されている競売品情報の内の、競売期間が終了した競売品情報に含まれている属性値と、前記付値情報記憶部に登録されている付値情報に含まれている落札希望対象指定条件および落札希望価格とに基づいて、前記付値情報記憶部に登録されている付値情報の中から、前記競売品情報によって示される競売品を落札希望対象にしている、落札希望価格が最高額の付値情報を検索する落札処理手段とを備えたことを特徴とする。
【０００７】
本発明にかかる第２の競売システムは、第１の競売システムにおいて、
前記競売品情報が、競売対象にする競売品の特徴を示す属性値および競売期間に加えて競売品情報登録者への連絡先を含み、
前記付値情報が、落札希望対象にする競売品の属性値が満たすべき条件である落札希望対象指定条件および落札希望価格に加えて付値情報登録者への連絡先を含み、
前記落札処理手段が、前記検索した付値情報中の連絡先に対して前記競売期間が終了した競売品情報中の連絡先を含んだ買い手宛落札結果通知を送信し、前記競売期間が終了した競売品情報中の連絡先に対して前記検索した付値情報中の連絡先を含んだ売り手宛落札結果通知を送信する構成を有することを特徴とする。
【０００８】
本発明にかかる第３の競売システムは、第２の競売システムにおいて、
所定のタイミングで、前記競売品情報記憶部から競売期間が終了した競売品情報を抽出し、該抽出した競売品情報を競売終了日時が早い順にソートし、更に、競売終了日時が同一の競売品情報については登録日時が早い順にソートする落札順決定処理手段を備え、且つ、
前記競売品登録手段が、競売品情報を前記競売品情報記憶部に登録する際、登録日時も併せて登録する構成を有し、
前記落札処理手段が、競売期間が終了した競売品情報を、前記落札順決定処理手段でソートされた順番で処理する構成を有することを特徴とする。
【０００９】
本発明にかかる第４の競売システムは、第２の競売システムにおいて、
前記競売品情報が、競売対象にする競売品の特徴を示す属性値、競売期間および競売品情報登録者への連絡先に加えて前記競売対象にする競売品の数量を含み、
前記落札処理手段が、競売期間が終了した競売品情報に含まれている競売品の数量が「０」となるか、前記競売品情報によって示される競売品を落札希望対象にしている付値情報が無くなるまで、前記付値情報記憶部から前記競売品情報によって示される競売品を落札希望対象にしている付値情報を検索する毎に、前記競売品情報に含まれている数量をデクリメントする構成を有することを特徴とする。
【００１０】
本発明にかかる第５の競売システムは、第２の競売システムにおいて、
前記競売品情報が、競売対象にする競売品の特徴を示す属性値、競売期間および競売品情報登録者への連絡先に加えて前記競売対象にする競売品の数量を含み、
前記付値情報が、落札希望対象にする競売品の属性値が満たすべき条件である落札希望対象指定条件、落札希望価格および付値情報登録者への連絡先に加えて落札希望数量を含み、
前記落札処理手段が、競売期間が終了した競売品情報に含まれている競売品の数量が前記付値情報記憶部から検索した付値情報中の落札希望数量以下となるか、前記競売品情報によって示される競売品を落札希望対象にしている付値情報が無くなるまで、前記付値情報記憶部から前記競売品情報によって示される競売品を落札希望対象にしている付値情報を検索する毎に、前記競売品情報に含まれている競売品の数量を、前記検索した付値情報に含まれている落札希望数量だけ減じる構成を有することを特徴とする。
【００１１】
本発明にかかる第１の競売サーバは、
競売品情報記憶部と、
付値情報記憶部と、
競売品登録端末から送られてきた、競売対象にする競売品の特徴を示す属性値および競売期間を含む競売品情報を前記競売品情報記憶部に登録する競売品登録手段と、
参加者端末から送られてきた、落札希望対象にする競売品の属性値が満たすべき条件である落札希望対象指定条件および落札希望価格を含む付値情報を前記付値情報記憶部に登録する参加登録手段と、
前記競売品情報記憶部に登録されている競売品情報の内の、競売期間が終了した競売品情報に含まれている属性値と、前記付値情報記憶部に登録されている付値情報に含まれている落札希望対象指定条件および落札希望価格とに基づいて、前記付値情報記憶部に登録されている付値情報の中から、前記競売品情報によって示される競売品を落札希望対象にしている、落札希望価格が最高額の付値情報を検索する落札処理手段とを備えたことを特徴とする。
【００１２】
本発明にかかる第２の競売サーバは、第１の競売サーバにおいて、
前記競売品情報が、競売対象にする競売品の特徴を示す属性値および競売期間に加えて競売品情報登録者への連絡先を含み、
前記付値情報が、落札希望対象にする競売品の属性値が満たすべき条件である落札希望対象指定条件および落札希望価格に加えて付値情報登録者への連絡先を含み、
前記落札処理手段が、前記検索した付値情報中の連絡先に対して前記競売期間が終了した競売品情報中の連絡先を含んだ買い手宛落札結果通知を送信し、前記競売期間が終了した競売品情報中の連絡先に対して前記検索した付値情報中の連絡先を含んだ売り手宛落札結果通知を送信する構成を有することを特徴とする。
【００１３】
本発明にかかる第３の競売サーバは、第２の競売サーバにおいて、
所定のタイミングで、前記競売品情報記憶部から競売期間が終了した競売品情報を抽出し、該抽出した競売品情報を競売終了日時が早い順にソートし、更に、競売終了日時が同一の競売品情報については登録日時が早い順にソートする落札順決定処理手段を備え、且つ、
前記競売品登録手段が、競売品情報を前記競売品情報記憶部に登録する際、登録日時も併せて登録する構成を有し、
前記落札処理手段が、競売期間が終了した競売品情報を、前記落札順決定処理手段でソートされた順番で処理する構成を有することを特徴とする。
【００１４】
本発明にかかる第４の競売サーバは、第２の競売サーバにおいて、
前記競売品情報が、競売対象にする競売品の特徴を示す属性値、競売期間および競売品情報登録者への連絡先に加えて前記競売対象にする競売品の数量を含み、
前記落札処理手段が、競売期間が終了した競売品情報に含まれている競売品の数量が「０」となるか、前記競売品情報によって示される競売品を落札希望対象にしている付値情報が無くなるまで、前記付値情報記憶部から前記競売品情報によって示される競売品を落札希望対象にしている付値情報を検索する毎に、前記競売品情報に含まれている数量をデクリメントする構成を有することを特徴とする。
【００１５】
本発明にかかる第５の競売サーバは、第２の競売サーバにおいて、
前記競売品情報が、競売対象にする競売品の特徴を示す属性値、競売期間および競売品情報登録者への連絡先に加えて前記競売対象にする競売品の数量を含み、
前記付値情報が、落札希望対象にする競売品の属性値が満たすべき条件である落札希望対象指定条件、落札希望価格および付値情報登録者への連絡先に加えて落札希望数量を含み、
前記落札処理手段が、競売期間が終了した競売品情報に含まれている競売品の数量が前記付値情報記憶部から検索した付値情報中の落札希望数量以下となるか、前記競売品情報によって示される競売品を落札希望対象にしている付値情報が無くなるまで、前記付値情報記憶部から前記競売品情報によって示される競売品を落札希望対象にしている付値情報を検索する毎に、前記競売品情報に含まれている競売品の数量を、前記検索した付値情報に含まれている落札希望数量だけ減じる構成を有することを特徴とする。
【００１６】
本発明にかかる競売品登録端末は、
競売対象にする競売品の特徴を示す属性値および競売期間を含む競売品情報を競売サーバへ送信する構成を有することを特徴とする。
【００１７】
本発明にかかる参加者端末は、
落札希望対象にする競売品の属性値が満たすべき条件である落札希望対象指定条件および落札希望価格を含む付値情報を競売サーバへ送信する構成を有することを特徴とする。
【００１８】
本発明にかかる競売方法は、
競売品登録端末が、競売対象にする競売品の特徴を示す属性値および競売期間を含む競売品情報を競売サーバへ送信し、
参加者端末が、落札希望対象にする競売品の属性値が満たすべき条件である落札希望対象指定条件および落札希望価格を含む付値情報を前記競売サーバへ送信し、
前記競売サーバが、
前記競売品登録端末から送られてきた競売品情報を競売品情報記憶部に登録する競売品登録ステップと、
前記参加者端末から送られてきた付値情報を付値情報記憶部に登録する参加登録ステップと、
前記競売品情報記憶部に登録されている競売品情報の内の、競売期間が終了した競売品情報に含まれている属性値と、前記付値情報記憶部に登録されている付値情報に含まれている落札希望対象指定条件および落札希望価格とに基づいて、前記付値情報記憶部に登録されている付値情報の中から、前記競売品情報によって示される競売品を落札希望対象にしている、落札希望価格が最高額の付値情報を検索する落札処理ステップとを実行することを特徴とする。
【００１９】
本発明にかかる第１のプログラムは、
競売品情報記憶部と、付値情報記憶部とを備えたコンピュータを、
競売品登録端末から送られてきた、競売対象にする競売品の特徴を示す属性値および競売期間を含む競売品情報を前記競売品情報記憶部に登録する競売品登録手段、
参加者端末から送られてきた、落札希望対象にする競売品の属性値が満たすべき条件である落札希望対象指定条件および落札希望価格を含む付値情報を前記付値情報記憶部に登録する参加登録手段、
前記競売品情報記憶部に登録されている競売品情報の内の、競売期間が終了した競売品情報に含まれている属性値と、前記付値情報記憶部に登録されている付値情報に含まれている落札希望対象指定条件および落札希望価格とに基づいて、前記付値情報記憶部に登録されている付値情報の中から、前記競売品情報によって示される競売品を落札希望対象にしている、落札希望価格が最高額の付値情報を検索する落札処理手段として機能させる。
【００２０】
本発明にかかる第２のプログラムは、第１のプログラムにおいて、
前記競売品情報が、競売対象にする競売品の特徴を示す属性値および競売期間に加えて競売品情報登録者への連絡先を含み、
前記付値情報が、落札希望対象にする競売品の属性値が満たすべき条件である落札希望対象指定条件および落札希望価格に加えて付値情報登録者への連絡先を含み、
前記落札処理手段が、前記検索した付値情報中の連絡先に対して前記競売期間が終了した競売品情報中の連絡先を含んだ買い手宛落札結果通知を送信し、前記競売期間が終了した競売品情報中の連絡先に対して前記検索した付値情報中の連絡先を含んだ売り手宛落札結果通知を送信する構成を有することを特徴とする。
【００２１】
本発明にかかる第３のプログラムは、第２のプログラムにおいて、
所定のタイミングで、前記競売品情報記憶部から競売期間が終了した競売品情報を抽出し、該抽出した競売品情報を競売終了日時が早い順にソートし、更に、競売終了日時が同一の競売品情報については登録日時が早い順にソートする落札順決定処理手段を備え、且つ、
前記競売品登録手段が、競売品情報を前記競売品情報記憶部に登録する際、登録日時も併せて登録する構成を有し、
前記落札処理手段が、競売期間が終了した競売品情報を、前記落札順決定処理手段でソートされた順番で処理する構成を有することを特徴とする。
【００２２】
本発明にかかる第４のプログラムは、第２のプログラムにおいて、
前記競売品情報が、競売対象にする競売品の特徴を示す属性値、競売期間および競売品情報登録者への連絡先に加えて前記競売対象にする競売品の数量を含み、
前記落札処理手段が、競売期間が終了した競売品情報に含まれている競売品の数量が「０」となるか、前記競売品情報によって示される競売品を落札希望対象にしている付値情報が無くなるまで、前記付値情報記憶部から前記競売品情報によって示される競売品を落札希望対象にしている付値情報を検索する毎に、前記競売品情報に含まれている数量をデクリメントする構成を有することを特徴とする。
【００２３】
本発明にかかる第５のプログラムは、第２のプログラムにおいて、
前記競売品情報が、競売対象にする競売品の特徴を示す属性値、競売期間および競売品情報登録者への連絡先に加えて前記競売対象にする競売品の数量を含み、
前記付値情報が、落札希望対象にする競売品の属性値が満たすべき条件である落札希望対象指定条件、落札希望価格および付値情報登録者への連絡先に加えて落札希望数量を含み、
前記落札処理手段が、競売期間が終了した競売品情報に含まれている競売品の数量が前記付値情報記憶部から検索した付値情報中の落札希望数量以下となるか、前記競売品情報によって示される競売品を落札希望対象にしている付値情報が無くなるまで、前記付値情報記憶部から前記競売品情報によって示される競売品を落札希望対象にしている付値情報を検索する毎に、前記競売品情報に含まれている競売品の数量を、前記検索した付値情報に含まれている落札希望数量だけ減じる構成を有することを特徴とする。
【００２４】
〔作用〕
競売品の売り手は、競売品登録端末から、競売対象にする競売品の特徴を示す属性値および競売期間を含む競売品情報を競売サーバへ送信し、競売品の買い手は、参加者端末から、落札希望対象にする競売品の属性値が満たすべき条件である落札希望対象指定条件および落札希望価格を含む付値情報を前記競売サーバへ送信する。
【００２５】
競売サーバ内の通信管理手段は、競売品登録端末から送られてきた競売品情報を競売品情報記憶部に登録し、参加登録手段は、参加者端末から送られてきた付値情報を付値情報記憶部に登録する。また、競売サーバ内の落札処理手段は、競売品情報記憶部に登録されている競売品情報の内の、競売期間が終了した競売品情報に含まれている属性値と、付値情報記憶部に登録されている付値情報に含まれている落札希望対象指定条件および落札希望価格とに基づいて、上記付値情報記憶部に登録されている付値情報の中から、上記競売品情報によって示される競売品を落札希望対象にしている、落札希望価格が最高額の付値情報を検索する。
【発明の効果】
【００２６】
本発明によれば、特定の条件を満たす競売品を予算内で落札できれば他の条件は問わない買い手が、容易に上記特定の条件を満たす競売品を予算内で落札することが可能になる。更に、出品された競売品が落札される可能性が高くなるという効果もある。
【００２７】
その理由は、競売品情報記憶部に登録されている競売品情報の内の、競売期間が終了した競売品情報に含まれている属性値（競売対象品の特徴を示す値であり、例えば、競売品がパーソナルコンピュータである場合には、クロック周波数、メモリ容量などの値）と、付値情報記憶部に登録されている付値情報に含まれている落札希望対象指定条件（落札希望対象にする競売品の属性値が満たすべき条件）および落札希望価格とに基づいて、付値情報記憶部に登録されている付値情報の中から、上記競売品情報によって示される競売品を落札希望対象にしている、落札希望価格が最高額の付値情報を検索する落札処理手段を備えているからである。つまり、買い手が落札希望指定条件を含む付値情報を１個競売サーバに登録すれば、上記条件を満たす不特定の競売品の競売に参加することが可能となるので、買い手が条件に合う競売品を容易に落札することが可能になると共に、競売品が落札される可能性が高くなるという効果を得ることができる。
【発明を実施するための最良の形態】
【００２８】
次に本発明の実施の形態について図面を参照して詳細に説明する。
【００２９】
〔第１の実施の形態の構成〕
図１は本発明にかかる競売システムの第１の実施の形態の全体構成例を示すブロック図であり、競売処理を行う競売サーバ１と、競売品の売り手が利用する競売品登録端末２と、競売品の買い手が利用する参加者端末３とから構成されている。競売品登録端末２および参加者端末３はそれぞれ複数台存在し、競売サーバ１と各端末２，３とはインターネット等のネットワーク４を介して相互に接続されている。
【００３０】
競売品登録端末２は、例えば、パーソナルコンピュータ等の情報処理装置によって実現されるものであり、競売対象にする競売品の特徴を示す属性値と、競売期間と、競売品の数量と、連絡先（例えば、メールアドレスなど）とを含む競売品情報を競売サーバ１へ送信する機能や、競売サーバから送られてきた落札結果通知を表示する機能などを有する。尚、競売品が、例えば、パーソナルコンピュータである場合には、ＣＰＵ種別、クロック数、メモリ容量、ＨＤＤ容量などが属性値となる。
【００３１】
図２は、競売品登録端末２の構成例を示すブロック図であり、制御手段２１と、送受信手段２２と、キーボード等の入力部２３と、ＬＣＤ等の表示部２４とを備えている。
【００３２】
送受信手段２２は、ネットワーク４を介してデータを送受信する機能を有する。
【００３３】
制御手段２１は、次のような機能を有する。
【００３４】
・入力部２３から入力されるユーザ（売り手）の指示に従って、競売サーバ１に対して競売品情報登録画面要求を送信する機能。
・この競売品情報登録画面要求に応答して競売サーバ１から送られてきた競売品情報登録画面を表示部２４に表示する機能。
・ユーザが競売品情報登録画面を用いて入力した競売品情報を競売サーバ１へ送信する機能。
・競売サーバ１から送られてきた落札結果通知を表示部２４に表示する機能。
【００３５】
このような機能を有する競売品登録端末２は、前述したように、パーソナルコンピュータによって実現可能なものであり、パーソナルコンピュータによって実現する場合は、例えば、次のようにする。パーソナルコンピュータを競売品登録端末２として機能させるためのプログラムを記録したディスク，半導体メモリ，その他の記録媒体を用意し、パーソナルコンピュータに上記プログラムを読み取らせる。パーソナルコンピュータは、読み取ったプログラムに従って自身の動作を制御することにより、自パーソナルコンピュータ上に、制御手段２１および送受信手段２２を実現する。
【００３６】
参加者端末３は、例えばパーソナルコンピュータ等の情報処理装置によって実現されるものであり、落札希望対象にする競売品の属性値が満たすべき条件である落札希望対象指定条件と、落札希望価格と、連絡先とを含む付値情報を競売サーバ１へ送信する機能や、競売サーバ１から送られてくる落札結果通知を表示する機能などを有する。
【００３７】
図３は、参加者端末３の構成例を示すブロック図であり、制御手段３１と、送受信手段３２と、キーボード等の入力部３３と、ＬＣＤ等の表示部３４とから構成されている。
【００３８】
送受信手段３２は、ネットワーク４を介してデータをやり取りする機能を有する。
【００３９】
制御手段３１は、次のような機能を有する。
【００４０】
・入力部３３から入力されるユーザ（買い手）の指示に従って、競売サーバ１に対して検索条件入力画面要求を送信する機能。
・この検索条件入力画面要求に応答して競売サーバ１から送られてきた検索条件入力画面を表示部３４に表示する機能。
・ユーザが、検索条件入力画面を用いて入力した検索条件を競売サーバ１へ送信する機能。
・検索条件に応答して競売サーバ１から送られてきた付値情報入力画面を表示部３４に表示する機能。尚、付値情報入力画面には、上記検索条件を満たす競売品情報のリスト、リストに載っている各競売品情報それぞれに対する最高の落札希望金額、および、付値情報の入力欄が含まれている。
・ユーザが付値情報入力画面を用いて入力した付値情報を競売サーバ１へ送信する機能。
・競売サーバ１から送られてきた落札結果通知を表示部３４に表示する機能。
【００４１】
このような機能を有する参加者端末３は、前述したようにパーソナルコンピュータによって実現可能なものであり、パーソナルコンピュータによって実現する場合には、例えば、次のようにする。パーソナルコンピュータを参加者端末３として機能させるためのプログラムを記録したディスク，半導体メモリ，その他の記録媒体を用意し、パーソナルコンピュータに上記プログラムを読み取らせる。パーソナルコンピュータは、読み取ったプログラムに従って自身の動作を制御することにより、自パーソナルコンピュータ上に、制御手段３１および送受信手段３２を実現する。
【００４２】
競売サーバ１は、コンピュータなどによって実現されるものであり、競売品登録端末２から送られてきた競売品情報を管理する機能や、参加者端末３から送られてきた付値情報を管理する機能や、管理している競売品情報と付値情報に基づいて落札処理を行う機能などを有している。
【００４３】
図４は競売サーバ１の構成例を示すブロック図であり、通信管理手段１１と、競売品登録手段１２と、競売品検索手段１３と、落札希望額検索手段１４と、参加登録手段１５と、落札順決定処理手段１６と、落札処理手段１７と、データベース１８とを備えている。
【００４４】
データベース１８は、ＳＱＬクエリを処理する機能のあるリレーショナルデータベース管理システムであり、競売品情報テーブル１８１と、付値情報テーブル１８２とを有する。
【００４５】
競売品情報テーブル１８１には、競売品登録端末２から送られてきた競売品情報と、その登録日時とが登録される。
【００４６】
図５に競売品情報テーブル１８１の内容例を示す。同図の例の第１行目は、競売対象にしている競売品の数量が「Ｎ個」、競売品の特徴を示す属性値が「競売品の種別；ＰＣ（パーソナルコンピュータ）、ＣＰＵ種別；Ａ、クロック周波数；ＢMHz、メモリ容量；ＣMbit、ＨＤＤ容量；ＤGbit」、競売期間が「２００５年７月７日２４時００分まで」、最低落札価格が「Ｘ円」、連絡先が「Ｎ＠Ｍ」、登録日時が「２００５年７月１日１０時１０分」であることを示している。
【００４７】
付値情報テーブル１８２には、参加者端末３から送られてきた付値情報と、その登録日時とが登録される。
【００４８】
図６に付値情報テーブル１８２の内容例を示す。同図の例の第１行目は、落札したい競売品の属性値が満たすべき条件である落札希望対象指定条件が「競売品の種別；ＰＣ、ＣＰＵ種別；Ａ、クロック周波数；ＺMHz以上」、落札希望価格が「Ｙ円」、連絡先が「Ｋ＠Ｊ」、登録日時が「２００５年７月２日１３時１５分」であることを示している。
【００４９】
通信管理手段１１は、ネットワーク４を介して各端末２，３と通信を行う機能や、競売品登録端末２に競売品情報登録画面を送信する機能や、参加者端末３に検索条件入力画面や付値情報入力画面を送信する機能を有する。
【００５０】
競売品登録手段１２は、競売品登録端末２から送られてきた競売品情報に登録日時（現在日時）を付加して競売品情報テーブル１８１に登録する機能を有する。
【００５１】
競売品検索手段１３は、参加者端末３から送られてきた検索条件を満たす競売品情報を競売品情報テーブル１８１から検索する機能や、落札希望額検索手段１４を利用して、上記検索した各競売品情報それぞれに対する最も高い落札希望価格を取得する機能を有する。
【００５２】
落札希望額検索手段１４は、競売品検索手段１３から指示された各競売品情報それぞれに対する最も高い落札希望価格を付値情報テーブル１８２から検索する機能を有する。
【００５３】
参加登録手段１５は、参加者端末３から送られてきた付値情報に登録日時（現在日時）を付加して付値情報テーブル１８２に登録する機能を有する。
【００５４】
落札順決定処理手段１６は、競売期間が終了した競売品情報に対する処理順を決定する機能を有する。より具体的には、所定のタイミング（例えば、毎日、０時００分）で競売品情報テーブル１８１から競売期間が終了した競売品情報を抽出する機能や、抽出した競売品情報を競売終了日時が早い順にソートし、更に、競売終了日時が同一の競売品情報については登録日時が早い順にソートする機能を有する。
【００５５】
落札処理手段１７は、落札順決定処理手段１６によってソートされている競売品情報を順次処理対象にして、落札処理を行う機能を有している。より具体的には、処理対象にしている競売品情報に含まれている属性値と、付値情報テーブル１８２に登録されている各付値情報中の落札希望対象指定条件および落札希望価格とに基づいて、付値情報テーブル１８２に登録されている付値情報の中から、処理対象にしている競売品情報によって示される競売品を落札希望対象にしている、落札希望価格が最高額の付値情報を検索する機能や、検索した付値情報の登録者や、処理対象にしている競売品情報の登録者に対して落札結果通知を送信する機能などを有する。
【００５６】
このような機能を有する競売サーバ１は、前述したように、コンピュータによって実現可能であり、コンピュータによって実現する場合は、例えば、次のようにする。コンピュータを競売サーバ１として機能させるためのプログラムを記録したディスク，半導体メモリ，その他の記録媒体を用意し、コンピュータに上記プログラムを読み取らせる。コンピュータは読み取ったプログラムに従って自身の動作を制御することにより、自コンピュータ上に、通信管理手段１１、競売品登録手段１２、競売品検索手段１３、落札希望額検索手段１４、参加登録手段１５、落札順決定処理手段１６、および落札処理手段１７を実現する。
【００５７】
〔第１の実施の形態の動作〕
次に、本実施の形態の動作について詳細に説明する。
【００５８】
〔競売品情報登録時の動作〕
先ず、売り手が競売品登録端末２を利用して競売品情報を競売サーバ１に登録する場合の動作について説明する。売り手は、競売品情報を競売サーバ１に登録する際、競売サーバ１がネットワーク４上に開設しているホームページを利用して、競売品情報の登録対象にする競売品の種別情報（例えば、パーソナルコンピュータ，自転車など）を含んだ、競売品情報登録画面要求を競売サーバ１に送信する（図７のステップＳ７１）。
【００５９】
競売サーバ１内の通信管理手段１１は、競売品情報登録画面要求が送られてくると、それに含まれている種別情報に応じた競売品情報登録画面を要求元の競売品登録端末２に送信する（ステップＳ７２）。
【００６０】
競売品登録端末２内の制御手段２１は、ネットワーク４及び送受信手段２２を介して競売品情報登録画面を受信すると、それを表示部２４に表示する（ステップＳ７３）。
【００６１】
図８に競売品情報登録画面８１の一例を示す。同図の例は、パーソナルコンピュータ用の競売品情報登録画面であり、競売品の特徴を表す各属性値（競売品の種別、ＣＰＵ種別、クロック周波数、メモリ容量、ＨＤＤ容量）の入力欄８２と、競売期間の入力欄８３と、最低落札価格の入力欄８４と、連絡先となるメールアドレスの入力欄８５と、送信ボタン８６とが設けられている。
【００６２】
売り手は、図８に示すような競売品情報登録画面８１が表示されると、入力部２３を用いて各入力欄８２〜８５に必要事項を入力した後、送信ボタン８６を操作する。これにより、制御手段２１は、各入力欄８２〜８５に入力された情報からなる競売品情報を競売サーバ１へ送信する（ステップＳ７４）。尚、属性値の入力欄の内の、種別の入力欄には、予め「ＰＣ」が設定されている。
【００６３】
競売サーバ１内の通信管理手段１１は、受信した競売品情報を競売品登録手段１２に渡し、競売品登録手段１２は、受け取った競売品情報に現在日時を登録日時として付加して競売品情報テーブル１８１に格納するＳＱＬ文を生成し、これを実行するコマンドをデータベース１８に対して発行する。これにより、データベース１８は、競売品情報テーブル１８１に競売品情報および登録日時を登録する（ステップＳ７５）。
【００６４】
〔付値情報登録時の動作〕
次に、買い手が参加者端末３を利用して付値情報を競売サーバ１に登録する場合の動作について説明する。買い手は、先ず、競売サーバ１がネットワーク４上に開設しているホームページを利用して、落札したい競売品の種別情報を含んだ検索条件入力画面要求を、競売サーバ１に送信する（図９のステップＳ９１）。
【００６５】
競売サーバ１内の通信管理手段１１は、検索条件入力画面要求が送られてくると、それに含まれている種別情報に応じた検索条件入力画面を要求元の参加者端末３に送信する（ステップＳ９２）。
【００６６】
参加者端末３内の制御手段３１は、ネットワーク４及び送受信手段３２を介して検索条件入力画面を受信すると、それを表示部３４に表示する（ステップＳ９３）。
【００６７】
図１０に検索条件入力画面１０１の一例を示す。同図の例は、パーソナルコンピュータ用の検索条件入力画面であり、落札希望対象指定条件の入力欄１０２と、送信ボタン１０３とが設けられている。
【００６８】
買い手は、図１０に示すような検索条件入力画面１０１が表示されると、入力欄１０２に落札希望対象指定条件を入力した後、送信ボタン１０３を操作する。例えば、ＣＰＵ種別が「Ｐｅｎｔｉｕｍ２」（登録商標）で、クロック周波数が「４００ＭＨｚ」以上であれば、他の条件は問わないのであれば、ＣＰＵ種別、クロック周波数の入力欄に上記条件を入力した後、送信ボタン１０３を操作する。尚、種別の入力欄には、予め「ＰＣ」が設定されている。送信ボタン１０３が操作されると、制御手段３１は、入力された属性値（上記した例では、ＣＰＵ種別；「Ｐｅｎｔｉｕｍ２」、クロック周波数；「４００ＭＨｚ」）を含む検索条件を競売サーバ１に送信する（ステップＳ９４）。
【００６９】
競売サーバ１内の通信管理手段１１は、受信した検索条件を競売品検索手段１３に渡す。競売品検索手段１３は、受け取った検索条件を満たす競売品情報を競売品情報テーブル１８１から検索するＳＱＬ文を生成し、これを実行するコマンドをデータベース１８に対して発行して検索結果を受け取る（ステップＳ９５）。その後、競売品検索手段１３は、この検索結果に含まれる個々の競売品情報を落札希望額検索手段１４に送る。落札希望額検索手段１４は、受け取った各競売品情報それぞれについて、その競売品情報によって特定される競売品を落札対象にしている、落札希望価格が最も高い付値情報を付値情報テーブル１８２から検索するＳＱＬ文を生成し、これを実行するコマンドをデータベース１８に対して発行する。そして、データベース１８から検索結果を受け取ると、それを競売品検索手段１３に返却する（ステップＳ９６）。
【００７０】
競売品検索手段１３は、各競売品情報に対する最も落札希望価格が高い付値情報が返却されると、ステップＳ９５で検索した競売品情報の一覧、ステップＳ９６で検索した付値情報中の落札希望価格、および付値情報入力欄を有する、パーソナルコンピュータ用の付値情報入力画面を参加者端末３に送信する（ステップＳ９７）。
【００７１】
参加者端末３内の制御手段３１は、競売サーバ１から送られてきた付値情報入力画面を表示部３４に表示する（ステップＳ９８）。
【００７２】
図１１にパーソナルコンピュータ用の付値情報入力画面１１１の一例を示す。同図に示す付値情報入力画面１１１は、落札希望対象指定条件の入力欄１１２と、落札希望価格の入力欄１１３と、連絡先となるメールアドレスの入力欄１１４と、ステップＳ９５で検索した競売品情報のリストを表示した競売品情報リスト表示部１１５と、各競売品情報に対する落札希望価格の最高額のリストを表示した落札希望価格リスト表示部１１６と、送信ボタン１１７が設けられている。
【００７３】
買い手は、図１１に示すような付値情報入力画面１１１が表示されると、表示部１１５，１１６の表示内容を考慮して各入力欄１１２〜１１４に所定の情報を入力し、その後、送信ボタン１１７を操作する。これにより、制御手段３１は、各入力欄１１２〜１１４に入力された情報を含んだ付値情報を生成し、生成した付値情報を競売サーバ１へ送信する（ステップＳ９９）。
【００７４】
競売サーバ１内の通信管理手段１１は、参加者端末３からの付値情報を受信すると、それを参加登録手段１５に渡す。参加登録手段１５は、受け取った付値情報に現在日時を登録日時として付加して付値情報テーブル１８２に登録するＳＱＬ文を生成し、これを実行するコマンドをデータベース１８に対して発行する。これにより、データベース１８は、付値情報テーブル１８２に参加者端末３から送られてきた付値情報と登録日時とを対応付けて登録する（ステップＳ１００）。
【００７５】
〔落札処理時の動作〕
次に、落札処理時の動作について説明する。落札順決定処理手段１６は、所定のタイミング（例えば、毎日、００時００分）になると、競売期間が終了した競売品情報を競売品情報テーブル１８１から検索して競売終了日時の早い順にソートし、さらに競売終了日時が同一のものは登録日時でソートするＳＱＬ文を作成し、これを実行するコマンドをデータベース１８に対して発行する。これにより、データベース１８は、競売期間が終了した競売品情報を競売品情報テーブル１８１から検索し（図１２のステップＳ１２１）、検索した競売品情報を競売終了日時が早い順（但し、競売終了日時が同一のものは、登録日時が早い順）にソートし、ソート結果を落札順決定処理手段１６に返却する（ステップＳ１２２）。これにより、落札順決定処理手段１６は、ソート結果を落札処理手段１７に渡す。
【００７６】
落札処理手段１７は、ソート結果が渡されると、ソートされている各競売品情報を順次処理対象にし、各競売品情報毎に図１３のフローチャートに示す処理を行う。
【００７７】
先ず、落札処理手段１７は、処理対象にしている競売品情報に含まれている属性値と、付値情報テーブル１８２に登録されている各付値情報中の落札希望対象指定条件および落札希望価格とに基づいて、付値情報テーブル１８２に登録されている付値情報の中から、処理対象にしている競売品情報によって示される競売品を落札希望対象にしている、落札希望価格が最高額の付値情報を検索する（ステップＳ１３１）。
【００７８】
そして、付値情報を検索できなかった場合（ステップＳ１３２がＹｅｓ）や、落札希望価格の最高額が、処理対象にしている競売品情報中の最低落札価格未満である場合（ステップＳ１３３がＹｅｓ）は、上記競売品情報中の連絡先（競売品情報の登録者の連絡先）に、落札者なしを通知する（ステップＳ１４０）。
【００７９】
これに対して、付値情報を検索でき、且つ落札希望価格の最高額が最低落札価格以上である場合（ステップＳ１３２，Ｓ１３３が共にＮｏ）は、検索された付値情報中の連絡先（付値情報の登録者の連絡先）に、競売品情報の登録者の連絡先を含む買い手宛落札結果通知を送信すると共に、競売品情報の登録者に付値情報の登録者への連絡先を含む売り手宛落札結果通知を送信する（ステップＳ１３４，Ｓ１３５）。
【００８０】
その後、落札処理手段１７は、ステップＳ１３１で検索した付値情報を付値情報テーブル１８２から削除し（ステップＳ１３６）、更に、現在処理対象にしている競売品情報中の数量をデクリメントする（ステップＳ１３７）。次いで、落札処理手段１７はデクリメント後の競売品の数量が「０」よりも大きいか否かを調べる（ステップＳ１３８）。
【００８１】
そして、「０」よりも大きければ（ステップＳ１３８がＹｅｓ）、再びステップＳ１３１の処理を行う。これに対して、「０」以下であれば（ステップＳ１３８がＮｏ）、処理対象にしている競売品情報を競売品情報テーブル１８１から削除する（ステップＳ１３９）。落札処理手段１７は、上述した処理を、落札順決定処理手段１６から渡されたソート結果に含まれている全ての競売品情報に対して行う。
【００８２】
〔第１の実施の形態の効果〕
本実施の形態によれば、特定の条件を満たす競売品を予算内で落札できれば他の条件は問わない買い手が、容易に上記特定の条件を満たす競売品を予算内で落札することが可能になる。更に、出品された競売品が落札される可能性が高くなるという効果もある。
【００８３】
その理由は、競売品情報テーブル１８１に登録されている競売品情報の内の、競売期間が終了した競売品情報に含まれている属性値（競売対象品の特徴を示す値であり、例えば、競売品がパーソナルコンピュータである場合には、クロック周波数、メモリ容量などの値）と、付値情報テーブル１８２に登録されている付値情報に含まれている落札希望対象指定条件（落札希望対象にする競売品の属性値が満たすべき条件）および落札希望価格とに基づいて、付値情報テーブル１８２に登録されている付値情報の中から、上記競売品情報によって示される競売品を落札希望対象にしている、落札希望価格が最高額の付値情報を検索する落札処理手段１７を備えているからである。つまり、買い手が落札希望指定条件を含む付値情報を１個登録すれば、上記条件を満たす不特定の競売品の競売に参加することが可能となるので、買い手が条件に合う競売品を容易に落札することが可能になると共に、競売品が落札される可能性が高くなるという効果を得ることができる。
【００８４】
〔第２の実施の形態〕
次に、本発明にかかる競売システムの第２の実施の形態について説明する。本実施の形態は、落札希望者（買い手）が登録する付値情報に落札希望数量を含ませ、同一条件に該当する競売品を複数落札できる点において、前述した第１の実施の形態と異なる。
【００８５】
本実施の形態は、図４に示した落札処理手段１７に、図１４のフローチャートに示す処理を実行させ、且つ、買い手が参加者端末３を用いて登録する付値情報に落札希望数量を含ませることにより実現される。
【００８６】
〔第２の実施の形態の動作の説明〕
次に、本実施の形態の動作について説明する。尚、以下の説明では、第１の実施の形態との相違点についてのみ説明する。
【００８７】
〔付値情報登録時の動作〕
付値情報の登録時には、図９のフローチャートに示した処理とほぼ同様の処理が行われる。但し、ステップＳ９７において、競売サーバ１から参加者端末３に送信する付値情報入力画面の構成が、図１１に示した付値情報入力画面１１１の構成に、落札希望数量の入力欄を追加した構成となる点が、第１の実施の形態と相違している。
【００８８】
〔落札処理時の動作〕
落札処理手段１７は、落札順決定処理手段１６から競売品情報のソート結果が渡されると、ソートされている各競売品情報を順次処理対象にし、各競売品情報毎に図１４のフローチャートに示す処理を行う。
【００８９】
先ず、落札処理手段１７は、処理対象にしている競売品情報に含まれている属性値と、付値情報テーブル１８２に登録されている各付値情報中の落札希望対象指定条件および落札希望価格とに基づいて、付値情報テーブル１８２に登録されている付値情報の中から、処理対象にしている競売品情報によって示される競売品を落札希望対象にしている、落札希望価格が最高額の付値情報を検索する（ステップＳ１４１）。
【００９０】
そして、付値情報を検索できなかった場合（ステップＳ１４２がＹｅｓ）や、落札希望価格の最高額が、処理対象にしている競売品情報中の最低落札価格未満である場合（ステップＳ１４３がＹｅｓ）は、上記競売品情報中の連絡先（競売品情報の登録者の連絡先）に、落札者なしを通知をする（ステップＳ１５３）。
【００９１】
これに対して、付値情報を検索でき、且つ落札希望価格の最高額が最低落札価格以上である場合（ステップＳ１４２，Ｓ１４３が共にＮｏ）は、ステップＳ１４１で検索した付値情報中の落札希望数量と、処理対象にしている競売品情報中の競売品の数量との内の小さい方の値を落札数量する（ステップＳ１４４）。更に、ステップＳ１４１で検索された付値情報の登録者に対して、競売品情報の登録者への連絡先と、ステップＳ１４４で求めた落札数量とを含む買い手宛落札結果通知を送信し（ステップＳ１４５）、更に、競売品情報の登録者に対して、付値情報の登録者への連絡先と、ステップＳ１４４で求めた落札数量とを含む売り手宛落札結果通知を送信する（ステップＳ１４６）。
【００９２】
その後、落札処理手段１７は、ステップＳ１４４で求めた落札数量と、付値情報に含まれている落札希望数量とを比較する（ステップＳ１４７）。
【００９３】
そして、落札数量が落札希望数量未満の場合（ステップＳ１４７がＹｅｓの場合）は、付値情報テーブル１８２上の該当する付値情報（ステップＳ１４１で検索した付値情報）に含まれている落札希望数量を落札数量分減らした後（ステップＳ１４９）、ステップＳ１５０の処理を行う。これに対して、落札数量と落札希望数量とが等しい場合（ステップＳ１４７がＮｏ）は、ステップＳ１４１で検索した付値情報を付値情報テーブル１８２から削除した後（ステップＳ１４８）、ステップＳ１５０の処理を行う。
【００９４】
ステップＳ１５０では、処理対象にしている競売品情報中の競売品の数量と、ステップＳ１４４で求めた落札数量とを比較する。そして、競売品の数量の方が多い場合（ステップＳ１５０がＹｅｓ）は、処理対象にしている競売品情報中の落札品の数量を落札数量分減らした後（ステップＳ１５２）、ステップＳ１４１の処理を行う。これに対して、両者が等しい場合は、処理対象にしている競売品情報を競売品情報テーブル１８１から削除する（ステップＳ１５１）。落札処理手段１７は、上述した処理を、落札順決定処理手段１６から渡されたソート結果に含まれている全ての競売品情報に対して行う。
【００９５】
〔第２の実施の形態の効果〕
本実施の形態によれば、第１の実施の形態が有している効果に加え、買い手が１個の付値情報を競売サーバ１に登録するだけで、買い手が指定する条件を満たす競売品を複数個落札することが可能になるという効果を得ることができる。その理由は、競売品情報，付値情報がそれぞれ競売品の数量，落札希望数量を含み、落札処理手段１７が、競売期間が終了した競売品情報に含まれている数量が付値情報テーブル１８２から検索した付値情報中の落札希望数量以下となるか、上記競売品情報によって示される競売品を落札希望対象にしている付値情報が無くなるまで、付値情報テーブル１８２から上記競売品情報によって示される競売品を落札希望対象にしている付値情報を検索する毎に、上記競売品情報に含まれている競売品の数量を、上記検索した付値情報に含まれている落札希望数量だけ減じる構成を有しているからである。
【産業上の利用可能性】
【００９６】
本発明は、インターネットなどのネットワークを利用した競売システムに利用可能である。
【図面の簡単な説明】
【００９７】
【図１】本発明にかかる競売システムの第１の実施の形態の全体構成例を示すブロック図である。
【図２】競売品登録端末２の構成例を示すブロック図である。
【図３】参加者端末３の構成例を示すブロック図である。
【図４】競売サーバ１の構成例を示すブロック図である。
【図５】競売品情報テーブル１８１の内容例を示すブロック図である。
【図６】付値情報テーブル１８２に内容例をブロック図である。
【図７】競売品情報登録時の処理例を示すフローチャートである。
【図８】競売品情報登録画面８１の一例を示す図である。
【図９】付値情報登録時の処理例を示すフローチャートである。
【図１０】検索条件入力画面１０１の一例を示す図である。
【図１１】付値情報入力画面１１１の一例を示す図である。
【図１２】落札順決定処理時の処理例を示すフローチャートである。
【図１３】落札処理手段１７が第１の実施の形態で行う処理の処理例を示すフローチャートである。
【図１４】落札処理手段１７が第２の実施の形態で行う処理の処理例を示すフローチャートである。
【符号の説明】
【００９８】
１…競売サーバ
１１…通信管理手段
１２…競売品登録手段
１３…競売品検索手段
１４…落札希望額検索手段
１５…参加登録手段
１６…落札順決定処理手段
１７…落札処理手段
１８…データベース
１８１…競売品情報テーブル
１８２…付値情報テーブル
２…競売品登録端末
２１…制御手段
２２…送受信手段
２３…入力部
２４…表示部
３…参加者端末
３１…制御手段
３２…送受信手段
３３…入力部
３４…表示部
４…ネットワーク
【図１】
2007025931.tif 000003
【図２】
2007025931.tif 000004
【図３】
2007025931.tif 000005
【図４】
2007025931.tif 000006
【図５】
2007025931.tif 000007
【図６】
2007025931.tif 000008
【図７】
2007025931.tif 000009
【図８】
2007025931.tif 000010
【図９】
2007025931.tif 000011
【図１０】
2007025931.tif 000012
【図１１】
2007025931.tif 000013
【図１２】
2007025931.tif 000014
【図１３】
2007025931.tif 000015
【図１４】
2007025931.tif 000016